(57)【要約】【課題】蓄電素子を備える蓄電装置であって、信頼性の高い蓄電装置を提供すること。【解決手段】蓄電装置１０は、蓄電素子３００と、蓄電素子３００の正極端子３２０と電気的に接続した第一導電部材５１０と、第一導電部材５１０とは異なる物性の材料で形成された第二導電部材５２０と、第一導電部材５１０及び第二導電部材５２０が接合された接合部５８０の側方の位置において、第一導電部材５１０及び第二導電部材５２０に挟まれて配置された封止部材６５０とを備える。【選択図】図４
2018110084.tif 000002
【特許請求の範囲】
【請求項１】
蓄電素子と、
前記蓄電素子の端子と電気的に接続された第一導電部材と、
前記第一導電部材とは異なる物性の材料で形成された第二導電部材と、
前記第一導電部材及び前記第二導電部材が接合された接合部の側方の位置において、前記第一導電部材及び前記第二導電部材に挟まれて配置された封止部材と
を備える蓄電装置。
【請求項２】
前記第一導電部材及び前記第二導電部材の一方は、板状の本体部と、前記本体部から前記第一導電部材及び前記第二導電部材の他方に向けて突出した凸部であって、前記他方と接合されている凸部とを有する
請求項１記載の蓄電装置。
【請求項３】
前記封止部材は、前記接合部を囲むように配置されている
請求項１または２に記載の蓄電装置。
【請求項４】
前記封止部材は、前記接合部と隙間をあけて配置されている
請求項１〜３のいずれか１項に記載の蓄電装置。
【請求項５】
蓄電素子と、前記蓄電素子の端子と電気的に接続された第一導電部材と、前記第一導電部材とは異なる物性の材料で形成された第二導電部材とを備える蓄電装置の製造方法であって、
前記第一導電部材及び前記第二導電部材の間に封止部材を配置する工程と、
前記第一導電部材及び前記第二導電部材の少なくとも一方を他方に向けて押すことにより、前記第一導電部材及び前記第二導電部材に前記封止部材を密着させる工程と、
前記封止部材の側方の位置において、前記第一導電部材及び前記第二導電部材を接合する工程と
を含む蓄電装置の製造方法。
【発明の詳細な説明】
【技術分野】
【０００１】
本発明は、蓄電素子を備える蓄電装置及び蓄電装置の製造方法に関する。
【背景技術】
【０００２】
従来、例えば複数の電池セルを備える電池デバイスモジュールの製造方法が開示されている（特許文献１参照）。この製造方法によれば、２つの電池セルそれぞれの電極タブ（正極用のアルミ製電極タブ及び負極用の銅製電極タブ）の先端側同士が、ケースに配置されたバスバー上面において重なるように２つの電池セルが配置される。さらに、バスバー上面に、電極タブ同士の重ね合せ部が溶接接合され、シール剤が塗布される。
【先行技術文献】
【特許文献】
【０００３】
【特許文献１】特開２００６−３４４５７２号公報
【発明の概要】
【発明が解決しようとする課題】
【０００４】
上記従来の電池デバイスモジュールのように、互いに異なる金属で形成された２つの導電部材の接合部を、接合部の外側から塗布されたシール剤で覆うことで、接合部における腐食の発生を抑制することは可能である。しかしながら、接合部の周囲からの影響（空冷による風、外気温差の結露による水滴、または、電池セルからの熱など）に起因して、シール剤が剥離または破損してしまい、その結果、接合部の保護が十分ではなくなる可能性がある。
【０００５】
本発明は、上記従来の課題を考慮し、蓄電素子を備える蓄電装置であって、信頼性の高い蓄電装置及びその製造方法を提供することを目的とする。
【課題を解決するための手段】
【０００６】
上記目的を達成するために、本発明の一態様に係る蓄電装置は、蓄電素子と、前記蓄電素子の端子と電気的に接続された第一導電部材と、前記第一導電部材とは異なる物性の材料で形成された第二導電部材と、前記第一導電部材及び前記第二導電部材が接合された接合部の側方の位置において、前記第一導電部材及び前記第二導電部材に挟まれて配置された封止部材とを備える。
【０００７】
この構成によれば、例えば、接合部の少なくとも一部の側方の空間を封止部材で遮断することができるため、例えば、異種金属同士が接合した部分である接合部に外気または水分が到達する可能性が低下し、その結果、接合部の腐食が抑制される。また、封止部材は２つの導電部材に挟まれた状態で配置されるため、封止部材をより確実に保持することができ、これにより、封止部材の剥離、脱落、または破壊等の問題が生じ難い。また、例えば、封止部材を、２つの導電部材のそれぞれに密着させることができるため、接合部の、外気または水分からの保護がより確実化する。
【０００８】
従って、本態様の蓄電装置は、蓄電素子を備える蓄電装置であって、信頼性の高い蓄電装置である。
【０００９】
また、本発明の一態様に係る蓄電装置において、前記第一導電部材及び前記第二導電部材の一方は、板状の本体部と、前記本体部から前記第一導電部材及び前記第二導電部材の他方に向けて突出した凸部であって、前記他方と接合されている凸部とを有するとしてもよい。
【００１０】
この構成によれば、板状の本体部で封止部材を支えることができるため、例えば、封止部材の位置ズレが発生し難い。また、例えば、接合作業の際に凸部を利用して封止部材の位置決めを行うことも可能であるため、接合作業の効率化が図られる。
【００１１】
また、本発明の一態様に係る蓄電装置において、前記封止部材は、前記接合部を囲むように配置されているとしてもよい。
【００１２】
この構成によれば、例えば、接合部を囲む環状の封止部材が配置されるため、接合部が配置された空間を封止部材によって密閉することができる。すなわち、接合部を封止することができる。これにより、接合部の腐食がより確実に抑制される。
【００１３】
また、本発明の一態様に係る蓄電装置において、前記封止部材は、前記接合部と隙間をあけて配置されているとしてもよい。
【００１４】
この構成によれば、例えば、２つの導電部材による封止部材の圧縮を伴う接合作業が行われる前の段階で、接合後においても封止部材と接合部との間に隙間が残存する程度に、封止部材と、２つの導電部材の接合対象部分との距離があけられる。これにより、接合時におけるこれら接合対象部分の十分な密着性が確保される。つまり、２つの導電部材に挟まれる封止部材が、２つの導電部材の接合の妨げとならないように配置され、その結果、例えば接合部の信頼性が向上される。
【００１５】
また、本発明の一態様に係る蓄電装置の製造方法は、蓄電素子と、前記蓄電素子の端子と電気的に接続された第一導電部材と、前記第一導電部材とは異なる物性の材料で形成された第二導電部材とを備える蓄電装置の製造方法であって、前記第一導電部材及び前記第二導電部材の間に封止部材を配置する工程と、前記第一導電部材及び前記第二導電部材の少なくとも一方を他方に向けて押すことにより、前記第一導電部材及び前記第二導電部材に前記封止部材を密着させる工程と、前記封止部材の側方の位置において、前記第一導電部材及び前記第二導電部材を接合する工程とを含む。
【００１６】
この製造方法によれば、上記それぞれの態様に係る蓄電装置を製造することができる。つまり、この製造方法によれば、蓄電素子を備える蓄電装置であって、信頼性の高い蓄電装置を製造することができる。
【発明の効果】
【００１７】
本発明によれば、蓄電素子を備える蓄電装置であって、信頼性の高い蓄電装置及びその製造方法を提供することができる。
【図面の簡単な説明】
【００１８】
【図１】実施の形態に係る蓄電装置の外観を示す斜視図である。
【図２】実施の形態に係る蓄電装置を分解した場合の各構成要素を示す分解斜視図である。
【図３】実施の形態に係る蓄電素子の斜視図である。
【図４】実施の形態に係る導電部材の構成を示す断面図である。
【図５】実施の形態に係る蓄電装置の製造方法の一部の工程を示す第１の図である。
【図６】実施の形態に係る蓄電装置の製造方法の一部の工程を示す第２の図である。
【図７】実施の形態に係る蓄電装置の製造方法の一部の工程を示す第３の図である。
【図８】実施の形態の変形例１に係る導電部材の構成を示す拡大断面図である。
【図９】実施の形態の変形例２に係る導電部材の構成を示す拡大断面図である。
【図１０】実施の形態の変形例２に係る導電部材の構成を示す拡大断面図である。
【図１１】実施の形態の変形例４に係る導電部材の構成を示す拡大断面図である。
【発明を実施するための形態】
【００１９】
以下、図面を参照しながら、本発明の実施の形態及びその変形例に係る蓄電装置について説明する。なお、以下の実施の形態及び変形例は、それぞれ、包括的または具体的な例を示すものである。以下の実施の形態及び変形例で示される数値、形状、材料、構成要素、構成要素の配置位置及び接続形態、製造方法における各工程、各工程の順序などは、一例であり、本発明を限定する主旨ではない。また、以下の実施の形態及び変形例における構成要素のうち、最上位概念を示す独立請求項に記載されていない構成要素については、任意の構成要素として説明される。また、各図において、寸法等は厳密に図示したものではない。
【００２０】
また、以下の説明及び図面中において、複数の蓄電素子の並び方向、蓄電素子の容器の長側面の対向方向、または、当該容器の厚さ方向をＸ軸方向と定義する。また、１つの蓄電素子における電極端子の並び方向、または、蓄電素子の容器の短側面の対向方向をＹ軸方向と定義する。また、蓄電装置の外装体本体と蓋体との並び方向、蓄電素子の容器本体と容器蓋部との並び方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００２１】
（実施の形態）
まず、図１及び図２を用いて、本実施の形態における蓄電装置１０の全般的な説明を行う。図１は、実施の形態に係る蓄電装置１０の外観を示す斜視図である。図２は、実施の形態に係る蓄電装置１０を分解した場合の各構成要素を示す分解斜視図である。なお、図２では、蓄電素子ユニット３８０の正極側の電流経路が点線で概念的に図示されており、蓄電素子ユニット３８０の負極側の電流経路が一点鎖線で概念的に図示されている。
【００２２】
蓄電装置１０は、外部からの電気を充電し、また外部へ電気を放電することができる装置である。例えば、蓄電装置１０は、電力貯蔵用途や電源用途などに使用される電池モジュールである。具体的には、蓄電装置１０は、例えば、電気自動車（ＥＶ）、ハイブリッド電気自動車（ＨＥＶ）またはプラグインハイブリッド電気自動車（ＰＨＥＶ）等の自動車、自動二輪車、ウォータークラフト、スノーモービル、農業機械、建設機械などの移動体の駆動用またはエンジン始動用のバッテリ等として用いられる。
【００２３】
図１及び図２に示すように、蓄電装置１０は、蓋体１００及び外装体本体２００からなる外装体１１と、外装体１１内方に収容される複数の蓄電素子３００及び複数のバスバー４００とを備えている。なお、外装体１１の内方には、バスバーフレーム等の他の要素が配置されていてもよい。
【００２４】
外装体１１は、蓄電装置１０の外装体を構成する矩形状（箱状）の容器（モジュールケース）である。つまり、外装体１１は、複数の蓄電素子３００及びバスバー４００等の外方に配置され、これら蓄電素子３００等を所定の位置に配置し、衝撃などから保護する。また、外装体１１は、例えば、ポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁材料により構成されている。外装体１１は、これにより、蓄電素子３００等が外部の金属部材などに接触することを回避する。
【００２５】
蓋体１００は、外装体本体２００の開口を閉塞する扁平な矩形状の部材である。蓋体１００には正極外部端子１１０と負極外部端子１２０とが設けられている。蓄電装置１０は、この正極外部端子１１０と負極外部端子１２０とを介して、外部からの電気を充電し、また外部へ電気を放電する。また、外装体本体２００は、開口が形成された有底矩形筒状のハウジングである。
【００２６】
蓄電素子３００は、電気を充電し、また、電気を放電することのできる二次電池（単電池）であり、より具体的には、リチウムイオン二次電池などの非水電解質二次電池である。蓄電素子３００は、扁平な直方体形状（角型）の形状を有しており、本実施の形態では、８個の蓄電素子３００がＸ軸方向に配列されている。なお、蓄電素子３００の形状や、配列される蓄電素子３００の個数は限定されない。また、蓄電素子３００は、非水電解質二次電池には限定されず、非水電解質二次電池以外の二次電池であってもよいし、キャパシタであってもよく、さらに、使用者が充電をしなくても蓄えられている電気を使用できる一次電池であってもよい。蓄電素子３００の構成の詳細な説明については、図３を用いて後述する。
【００２７】
バスバー４００は、複数の蓄電素子３００上に配置され、複数の蓄電素子３００の電極端子同士を電気的に接続する矩形状の板状部材である。本実施の形態では、バスバー４００は、アルミニウム合金により形成されている。
【００２８】
また、本実施の形態では、バスバー４００は、蓄電素子３００を２個ずつ並列に接続して４セットの蓄電素子群を構成し、当該４セットの蓄電素子群を直列に接続する。このように接続された複数の蓄電素子３００を１つの蓄電素子ユニット３８０とした場合、蓄電素子ユニット３８０の正極（Ｘ軸方向プラス側に配置された２個の蓄電素子３００の正極端子（後述の正極端子３２０））は、正極外部端子１１０と電気的に接続されている。具体的には、本実施の形態では、蓄電素子ユニット３８０の正極は、導電部材５００及び保護回路８００等を介して正極外部端子１１０と電気的に接続されている。
【００２９】
また、蓄電素子ユニット３８０の負極（Ｘ軸方向マイナス側に配置された２個の蓄電素子３００の負極端子（後述の負極端子３３０））は、導電部材５５０等を介して負極外部端子１２０と電気的に接続されている。
【００３０】
なお、複数の蓄電素子３００の接続形態は、図２に示すものに限定されず、例えば、隣り合う２つの蓄電素子３００の異極同士がバスバーで接続されることで、８個全てが直列に接続されてもよい。
【００３１】
本実施の形態において、導電部材５００は第一導電部材５１０と第二導電部材５２０とを含む。第一導電部材５１０の一端には蓄電素子３００（図２では２つの蓄電素子３００）が接続され、第二導電部材５２０の一端には、保護回路８００が接続されている。また、第一導電部材５１０の他端と第二導電部材５２０の他端とは接合されている。本実施の形態では、第一導電部材５１０と第二導電部材５２０とは、板厚方向に接合されている。
【００３２】
また、第一導電部材５１０と第二導電部材５２０とは、これらの間に封止部材６５０が介在した状態で接合されている。負極側の導電部材５５０も同様に、第一導電部材５６０と第二導電部材５７０とが封止部材６５０が介在した状態で、板厚方向に接合されている。本実施の形態において、封止部材６５０は、図２に示すように環状の部材である。
【００３３】
導電部材５００に接続された保護回路８００には、例えばヒューズが内蔵されており、保護回路８００に通常の範囲を超える大電流が流れた場合に、ヒューズが溶断することで保護回路８００を含む電流経路が遮断される。つまり、蓄電装置１０において、短絡等に起因して通常ではない大きさの電流が流れた場合、蓄電装置１０からの放電及び蓄電装置１０への充電が停止される。
【００３４】
なお、本実施の形態では、第一導電部材５１０（５６０）と第二導電部材５２０（５７０）とは溶接により接合されており、接合された部分である接合部の側方（より詳細には全周囲）に封止部材６５０が配置されている。第一導電部材５１０及び第二導電部材５２０を有する導電部材５００に関する詳細については、図４〜図７を用いて後述する。
【００３５】
次に、蓄電素子３００の構成について、詳細に説明する。図３は、実施の形態に係る蓄電素子３００の斜視図である。なお、図３では、蓄電素子３００の容器３１０を透視して、蓄電素子３００の内部が図示されている。
【００３６】
図３に示すように、蓄電素子３００は、容器３１０と、正極端子３２０と、負極端子３３０とを備えている。また、容器３１０の内方には、電極体３４０、正極集電体３５０及び負極集電体３６０が配置されている。なお、容器３１０の内方には、電解液（非水電解質）も封入されているが、図示は省略する。また、上記の構成要素の他、正極端子３２０、負極端子３３０、正極集電体３５０及び負極集電体３６０と容器３１０との間にガスケットが配置されていてもよいし、電極体３４０と容器３１０との間にスペーサが配置されていてもよい。
【００３７】
容器３１０は、容器本体３１１と容器蓋部３１２とを有する。具体的には、容器３１０は、図３におけるＺ軸方向マイナス側に底面部３１５、Ｘ軸方向両側の側面に長側面部３１４、Ｙ軸方向両側の側面に短側面部３１３、及び、Ｚ軸方向プラス側に容器蓋部３１２を有する直方体形状（角型）の容器である。つまり、容器３１０は、底面部３１５と２つの長側面部３１４と２つの短側面部３１３とで、矩形筒状で底を備える容器本体３１１を構成し、容器本体３１１の開口を容器蓋部３１２が閉塞する構成となっている。
【００３８】
具体的には、容器３１０は、電極体３４０等を容器本体３１１の内方に収容後、容器本体３１１と容器蓋部３１２とが溶接等によって接合されることで、内部を密封することができる構造を有している。なお、容器３１０（容器本体３１１及び容器蓋部３１２）の材質は、特に限定されないが、例えばステンレス鋼、アルミニウム、アルミニウム合金など溶接可能（接合可能）な金属であるのが好ましい。
【００３９】
電極体３４０は、電気を蓄えることができる蓄電要素（発電要素）であり、正極板と負極板とセパレータとを備え、当該正極板、負極板及びセパレータがＸ軸方向に積層されて形成されている。具体的には、電極体３４０は、正極板、負極板及びセパレータが巻回軸（電極体３４０の中心を貫くＹ軸方向の仮想軸）まわりに巻回されて形成された巻回型の電極体であり、正極集電体３５０及び負極集電体３６０と電気的に接続される。
【００４０】
正極板は、アルミニウムやアルミニウム合金などからなる長尺帯状の金属箔である正極基材層の表面に、正極合材層が形成された電極板である。負極板は、銅や銅合金などからなる長尺帯状の金属箔である負極基材層の表面に、負極合材層が形成された電極板である。セパレータは、樹脂からなる微多孔性のシートである。なお、正極合材層及び負極合材層に用いられる正極活物質及び負極活物質としては、リチウムイオンを吸蔵放出可能な活物質であれば、適宜公知の材料を使用できる。セパレータについても、蓄電素子３００の性能を損なうものでなければ適宜公知の材料を使用できる。
【００４１】
より詳細には、電極体３４０は、正極板と負極板とが、セパレータを介して、巻回軸の方向（Ｙ軸方向）に互いにずらして巻回されている。そして、正極板及び負極板は、それぞれのずらされた方向の端部に、合材層が形成されず基材層が露出した部分である合材層非形成部を有している。具体的には、電極体３４０は、巻回軸方向の一端（Ｙ軸方向プラス側の端部）に、正極板の合材層非形成部が積層された正極側端部３４１を有している。また、同様に、電極体３４０は、巻回軸方向の他端（Ｙ軸方向マイナス側の端部）に、負極板の合材層非形成部が積層された負極側端部３４２を有している。
【００４２】
正極集電体３５０は、電極体３４０の正極板と容器３１０の側壁との間に配置され、正極端子３２０と電極体３４０の正極板とに電気的に接続される導電性と剛性とを備えた部材である。また、負極集電体３６０は、電極体３４０の負極板と容器３１０の側壁との間に配置され、負極端子３３０と電極体３４０の負極板とに電気的に接続される導電性と剛性とを備えた部材である。具体的には、正極集電体３５０は、電極体３４０の正極側端部３４１に溶接などによって接合され、負極集電体３６０は、電極体３４０の負極側端部３４２に溶接などによって接合されている。なお、正極集電体３５０は、正極板の正極基材層と同様、アルミニウムまたはアルミニウム合金などで形成され、負極集電体３６０は、負極板の負極基材層と同様、銅または銅合金などで形成されている。
【００４３】
正極端子３２０は、正極集電体３５０を介して、電極体３４０の正極板に電気的に接続された電極端子であり、負極端子３３０は、負極集電体３６０を介して、電極体３４０の負極板に電気的に接続された電極端子である。具体的には、正極端子３２０は、例えば、正極端子３２０から延設されたリベット部が容器蓋部３１２及び正極集電体３５０を貫通した状態でかしめられることで、正極集電体３５０と機械的及び電気的に接続される。負極端子３３０も同様に、負極端子３３０から延設されたリベット部が容器蓋部３１２及び負極集電体３６０を貫通した状態でかしめられることで、負極集電体３６０と機械的及び電気的に接続される。
【００４４】
つまり、正極端子３２０及び負極端子３３０は、電極体３４０に蓄えられている電気を蓄電素子３００の外部空間に導出し、また、電極体３４０に電気を蓄えるために蓄電素子３００の内部空間に電気を導入するための金属製の電極端子である。なお、正極端子３２０及び負極端子３３０の材料としては、アルミニウムまたはアルミニウム合金などが採用される。本実施の形態では、正極端子３２０及び負極端子３３０は、アルミニウムで形成されている。
【００４５】
ここで、正極端子３２０及び負極端子３３０がアルミニウム製である場合、バスバー４００等の、正極端子３２０及び負極端子３３０の少なくとも一方と溶接される導電体も、アルミニウムまたはアルミニウム合金で形成される。
【００４６】
具体的には、本実施の形態では、正極端子３２０及び負極端子３３０の少なくとも一方と溶接されるバスバー４００並びに第一導電部材５１０及び５６０は、アルミニウムによって形成されている。すなわち、正極端子３２０及び負極端子３３０と接続される導電体の材料は、これら電極端子との溶接部分の信頼性を考慮すると、これら電極端子と同種の金属（本実施の形態ではアルミニウム）であることが有利である。
【００４７】
しかし、その一方で、電気抵抗を抑制するという観点からは、導電体の材料として、例えば銅を採用することが好ましい。つまり、蓄電装置１０内の電流経路における電気抵抗の大きさは、エネルギー損失の拡大及び発熱等の問題につながるため、電気抵抗は小さいことが好ましい。
【００４８】
そこで、本実施の形態では、正極端子３２０と接続される導電部材５００のうち、正極端子３２０と接続される第一導電部材５１０の材料としてアルミニウムが採用され、保護回路８００と接続される第二導電部材５２０の材料として銅が採用される。また、負極端子３３０と接続される導電部材５５０のうち、負極端子３３０と接続される第一導電部材５６０の材料としてアルミニウムが採用され、第一導電部材５６０と負極外部端子１２０との間の電流経路の一部を形成する第二導電部材５７０の材料として銅が採用される。
【００４９】
以下、図４〜図７を参照しながら、蓄電素子ユニット３８０の正極側に配置された導電部材５００の構成の詳細について説明する。なお、蓄電素子ユニット３８０の負極側に配置された導電部材５５０の基本的な構成は、導電部材５００と共通するため、導電部材５５０についての説明は省略する。
【００５０】
図４は、実施の形態に係る導電部材５００の構成を示す断面図である。なお、図４では、導電部材５００のＸＺ平面に平行な断面が図示されており、蓄電素子３００及び保護回路８００については側面が図示されている。また、導電部材５００と保護回路８００との接合は、締結、かしめ、及び溶接等の各種の手法が用いられるが、図４では、これらの接合箇所は簡易化されて（接合の態様を示さずに）図示されている。また、本実施の形態では、第一導電部材５１０には、蓄電素子ユニット３８０の正極を構成する、２つの蓄電素子３００それぞれの正極端子３２０（例えば図２参照）が、例えばレーザ溶接によって接合される。しかし、導電部材５００の構成の明確化のため、２つの蓄電素子３００のうちの内側（Ｘ軸方向マイナス側）の蓄電素子３００についての図示及び説明は省略する。
【００５１】
図４に示すように、本実施の形態に係る蓄電装置１０は、蓄電素子３００と、蓄電素子３００の正極端子３２０と電気的に接続した第一導電部材５１０と、第一導電部材５１０とは異なる物性の材料で形成された第二導電部材５２０と、封止部材６５０とを備える。封止部材６５０は、第一導電部材５１０及び第二導電部材５２０が接合された接合部５８０の側方の位置において、第一導電部材５１０及び第二導電部材５２０に挟まれて配置されている。
【００５２】
この構成によれば、例えば、接合部５８０の少なくとも一部の側方の空間を封止部材６５０で遮断することができる。そのため、例えば、異種金属同士が接合した部分である接合部５８０に外気または水分が到達する可能性が低下し、これにより、接合部５８０の腐食が抑制される。
【００５３】
具体的には、本実施の形態では、上述のように、第一導電部材５１０はアルミニウムで形成され、第二導電部材５２０は銅で形成される。これにより、導電部材５００と、アルミニウム製である正極端子３２０との溶接部分についての信頼性が確保され、かつ、導電部材５００全体としての電気抵抗が抑制される。さらに、封止部材６５０の存在により、アルミニウムと銅とが接合された部分である接合部の腐食が抑制される。
【００５４】
また、封止部材６５０は第一導電部材５１０及び第二導電部材５２０に挟まれた状態で配置されるため、封止部材６５０をより確実に保持することができ、これにより、封止部材６５０の剥離、脱落、または破壊等の問題が生じ難い。また、例えば、封止部材６５０を、第一導電部材５１０及び第二導電部材５２０のそれぞれに密着させることができるため、接合部５８０の外気または水分からの保護がより確実化する。このように、本実施の形態に係る蓄電装置１０は、信頼性の高い蓄電装置１０である。
【００５５】
ここで、本実施の形態では、封止部材６５０は、その全体が第一導電部材５１０及び第二導電部材５２０の間に配置されている。つまり、封止部材６５０は、第一導電部材５１０と第二導電部材５２０との隙間以外は、第一導電部材５１０及び第二導電部材５２０に隠された状態である。そのため、封止部材６５０は、外部の光、風、熱、及び湿度等の影響を受けにくいと言える。これにより、封止部材６５０の劣化が抑制され、このことは、封止部材６５０の剥離、脱落、または破壊等の発生の抑制につながる。従って、例えば、異種金属同士の接合部に対し、接合部の外側から樹脂等を塗布することで接合部を保護する場合と比較すると、本実施の形態に係る封止部材６５０は、耐久性が高いと言える。
【００５６】
なお、本実施の形態では、封止部材６５０は、例えばシリコーンゴムまたはエチレン・プロピレン・ジエンゴム（ＥＰＤＭ）等の、弾性を有し、かつ、耐熱性が比較的に高い材料で形成されている。そのため、封止部材６５０は、第一導電部材５１０と第二導電部材５２０とに挟まれた場合、例えば、第一導電部材５１０及び第二導電部材５２０それぞれの、封止部材６５０との接触面の形状に応じて変形することができる。従って、封止部材６５０の配置位置において、第一導電部材５１０と第二導電部材５２０との間の隙間を実質的に埋めることができ、これにより、外気または水分が接合部５８０に到達することを困難にしている。
【００５７】
また、接合部５８０は、電気抵抗が互いに異なる異種金属同士が接合されている部分であるため、発熱しやすい部分であるが、封止部材６５０は、耐熱性が比較的に高いため、封止部材６５０の、接合部５８０が発する熱による劣化は抑制される。
【００５８】
ここで、第一導電部材５１０の材料としてアルミニウム合金が採用され、第二導電部材５２０の材料として銅合金が採用されてもよい。この場合であっても、導電部材５００と、アルミニウム製である正極端子３２０との溶接部分についての信頼性の確保、及び、導電部材５００全体としての電気抵抗の抑制という効果を得ることがきる。
【００５９】
また、本実施の形態では、図４に示すように、第一導電部材５１０及び第二導電部材５２０の一方は、板状の本体部と、本体部から第一導電部材５１０及び第二導電部材５２０の他方に向けて突出した凸部であって、当該他方と接合されている凸部とを有する。
【００６０】
具体的には、第一導電部材５１０は、板状の第一本体部５１４と、第一本体部５１４から第二導電部材５２０に向けて突出した第一凸部５１５とを有する。より詳細には、第一本体部５１４は、板状であってかつ折り曲げられた形状を有している。第一本体部５１４は、蓄電素子３００の正極端子３２０とレーザ溶接等によって接合された第一端部５１１と、第一端部５１１から延設された第一延設部５１２とを含む。
【００６１】
また、第二導電部材５２０は、板状の第二本体部５２４と、第二本体部５２４から第一導電部材５１０に向けて突出した第二凸部５２５とを有する。より詳細には、第二本体部５２４は、板状であってかつ板厚方向に折り曲げられた形状を有している。第二本体部５２４は、保護回路８００の回路本体部８１０に設けられたリード板８２０と接合された第二端部５２１と、第二端部５２１から延設された第二延設部５２２とを含む。
【００６２】
上記構成において、第一延設部５１２に設けられた第一凸部５１５と、第二延設部５２２に設けられた第二凸部５２５とが接合されている。具体的には、第一凸部５１５の先端面と第二凸部５２５の先端面とが突き合わされた状態で、例えばレーザ溶接によって第一凸部５１５と第二凸部５２５とが接合される。なお、図４では、導電部材５００の構成の明確化のために、第一凸部５１５及び第二凸部５２５が溶け合うことによる溶接痕の図示は省略している。このことは、後述する図８及び図１１についても同じである。
【００６３】
上記のように、第一導電部材５１０及び第二導電部材５２０の少なくとも一方が、板状の本体部と本体部から突出する凸部とを有することで、例えば、板状の本体部で封止部材６５０を支える（または押さえる）ことができるため、封止部材６５０の位置ズレが発生し難い。具体的には、本実施の形態では、ともに板状の第一本体部５１４及び第二本体部５２４によって封止部材６５０が挟まれるため、封止部材６５０が安定的に保持される。また、例えば、接合作業の際に第一凸部５１５または第二凸部５２５を利用して封止部材６５０の位置決めを行うことも可能であるため、接合作業の効率化が図られる。
【００６４】
また、本実施の形態では、封止部材６５０は、接合部５８０を囲むように配置されている。具体的には、第一導電部材５１０と第二導電部材５２０との間には、図４及び図２に示すように、接合部５８０を囲む環状の封止部材６５０が配置される。つまり、封止部材６５０は、接合部５８０の全周囲に存在し、かつ、第一導電部材５１０及び第二導電部材５２０（具体的には、第一本体部５１４及び第二本体部５２４）に挟まれている。そのため、接合部５８０が配置された空間を封止部材６５０によって密閉することができる。すなわち、接合部５８０を封止することができる。これにより、接合部５８０の腐食がより確実に抑制される。
【００６５】
なお、本実施の形態では、封止部材６５０は、接合部５８０と隙間をあけて配置されている。つまり、例えば、２つの導電部材（５１０、５２０）による封止部材６５０の圧縮を伴う接合作業が行われる前の段階で、接合後においても封止部材６５０と接合部５８０との間に隙間が残存する程度に、封止部材６５０と、２つの導電部材（５１０、５２０）の接合対象部分との距離があけられる。
【００６６】
すなわち、封止部材６５０が圧縮されることによる横方向（圧縮方向と直交する方向（ＹＺ平面に平行な方向））への膨らみを許容する空間が、封止部材６５０と接合対象部分（第一凸部５１５及び第二凸部５２５）との間に設けられ、この状態で接合が行われる。その結果、接合後においても、封止部材６５０と接合部５８０との間には隙間が残存する。このことは、例えば、第一凸部５１５の先端面と第二凸部５２５の先端面との十分な密着性が確保された状態で接合（例えばレーザ溶接）が行われたことを意味する。
【００６７】
このように、本実施の形態では、２つの導電部材（５１０、５２０）に挟まれる封止部材６５０が、２つの導電部材（５１０、５２０）の接合の妨げとならないように配置され、その結果、例えば接合部５８０の信頼性が向上されている。
【００６８】
より具体的には、例えば図５〜図７に示す手順で、第一導電部材５１０と第二導電部材５２０との接合作業が行われる。
【００６９】
図５は、実施の形態に係る蓄電装置１０の製造方法の一部の工程を示す第１の図であり、図６は、当該製造方法の一部の工程を示す第２の図であり、図７は、当該製造方法の一部の工程を示す第３の図である。具体的には、図５〜図７は、蓄電装置１０の製造方法に含まれる、第一導電部材５１０と第二導電部材５２０との接合作業の手順の一例を示している。
【００７０】
第一導電部材５１０と第二導電部材５２０とを接合する場合、例えば図５に示すように、第一導電部材５１０及び第二導電部材５２０の間に封止部材６５０を配置する。このとき、封止部材６５０は、封止部材６５０と、第一導電部材５１０の第一凸部５１５及び第二導電部材５２０の第二凸部５２５との間に幅Ａ１の隙間が存在するよう配置される。
【００７１】
つまり、第一凸部５１５及び第二凸部５２５のそれぞれは、例えば、突出方向から見た場合の形状が略円形であり、これら凸部（５１５、５２５）の外径に対して、Ａ１×２だけ大きな内径を有する円環状の封止部材６５０が配置される。
【００７２】
そして、図５のＸ軸方向において、第一凸部５１５の突出量をｂ１、第二凸部５２５の突出量をｂ２とし、ｂ１及びｂ２の合計をＢ１とした場合、封止部材６５０のＸ軸方向の厚みＢ２は、Ｂ１以上の厚みであり、好ましくはＢ１よりも大きい厚みである。
【００７３】
その後、図６及び図７に示すように、第一導電部材５１０及び第二導電部材５２０の少なくとも一方を他方に向けて押すことにより、第一導電部材５１０及び第二導電部材５２０に封止部材６５０を密着させる。
【００７４】
つまり、封止部材６５０は、第一導電部材５１０及び第二導電部材５２０によって圧縮される。具体的には、封止部材６５０は、前述した第一凸部５１５及び第二凸部５２５のそれぞれの突出量の合計であるＢ１よりも大きい厚みＢ２を有するため、圧縮方向（接合部５８０における第一導電部材５１０及び第二導電部材５２０の重ね合わせ方向（Ｘ軸方向））の幅が縮まり、かつ、円環状の封止部材６５０における径方向（放射方向）の幅が膨らむ。
【００７５】
その結果、第一導電部材５１０の第一凸部５１５の先端面と、第二導電部材５２０の第二凸部５２５の先端面とが突き合わされる。また、このとき、封止部材６５０と、第一凸部５１５及び第二凸部５２５との間の幅はＡ１からＡ２（Ａ２＜Ａ１）まで減少する。
【００７６】
このようにして、第一凸部５１５の先端面と第二凸部５２５の先端面とが突き合わされた状態で、例えば、第一凸部５１５の裏側（Ｚ軸方向プラス側）からレーザ光Ｌが照射され、これにより、第一凸部５１５の先端面と第二凸部５２５の先端面とが溶接される。つまり、接合部５８０が形成される。
【００７７】
ここで、第一凸部５１５の先端面と第二凸部５２５の先端面とを突き合わせるためには、封止部材６５０を圧縮する必要があり、これにより、封止部材６５０は径方向に膨らむ。このとき、仮に、封止部材６５０と、第一凸部５１５及び第二凸部５２５との間に隙間（遊び）がなければ、封止部材６５０の径方向の膨らみが抑制され、これにより、第一凸部５１５の先端面と第二凸部５２５の先端面とを突き合わせ難くなる。しかしながら、本実施の形態に係る蓄電装置１０では、第一導電部材５１０と第二導電部材５２０との接合の前（より詳細には、図６に示す圧縮の前）の段階において、封止部材６５０と、第一凸部５１５及び第二凸部５２５との間に、封止部材６５０の径方向の膨らみを許容する、幅Ａ１の隙間が存在する。そのため、第一凸部５１５の先端面と第二凸部５２５の先端面とを密着させることが容易であり、このことは、第一凸部５１５及び第二凸部５２５の接合の信頼性、すなわち、接合部５８０の信頼性の向上を生じさせる。
【００７８】
また、この場合、接合後においても、図７に示すように、封止部材６５０と、第一凸部５１５及び第二凸部５２５との間に、幅Ａ２の隙間が残存する場合がある。しかし、このように、封止部材６５０と、第一凸部５１５及び第二凸部５２５との間に隙間がある場合であっても、封止部材６５０が第一導電部材５１０と第二導電部材５２０とに密着していることで、接合部５８０を封止する機能は発揮される。また、接合部５８０が発熱した場合であっても、当該隙間は、封止部材６５０への熱伝導の抑制のための空気層として機能するため、この点において有利である。
【００７９】
なお、図５に示す幅Ａ１の隙間は、第一凸部５１５及び第二凸部５２５の全周囲の一部のみに確保されていてもよい。また、封止部材６５０と、第一凸部５１５及び第二凸部５２５との隙間の幅は、全周囲において均一である必要はない。つまり、封止部材６５０が圧縮されることによる膨らみを許容する空間が形成されているのであれば、封止部材６５０と、第一凸部５１５及び第二凸部５２５との隙間の幅の大きさ及び位置に特に限定はない。
【００８０】
また、図７に示す幅Ａ２の隙間は、第一凸部５１５及び第二凸部５２５の全周囲の一部のみに存在していてもよい。また、接合後における、封止部材６５０と、第一凸部５１５及び第二凸部５２５との隙間の幅は、全周囲において均一である必要はない。つまり、仮に、図７におけるＡ２がゼロとなる箇所が存在する場合であっても、封止部材６５０による接合部５８０を封止する機能は発揮される。
【００８１】
以上説明したように、本実施の形態に係る蓄電装置１０の製造方法は、蓄電素子３００と、蓄電素子３００の正極端子３２０と電気的に接続された第一導電部材５１０と、第一導電部材５１０とは異なる物性の材料で形成された第二導電部材５２０とを備える蓄電装置１０の製造方法である。当該製造方法は、第一導電部材５１０及び第二導電部材５２０の間に封止部材６５０を配置する工程と、第一導電部材５１０及び第二導電部材５２０の少なくとも一方を他方に向けて押すことにより、第一導電部材５１０及び第二導電部材５２０に封止部材６５０を密着させる工程と、封止部材６５０の側方の位置において、第一導電部材５１０及び第二導電部材５２０を接合する工程とを含む。
【００８２】
この製造方法によれば、図１〜図７を用いて説明したように、信頼性の高い蓄電装置１０を得ることができる。
【００８３】
以上、実施の形態に係る蓄電装置１０について説明したが、例えば、蓄電装置１０が備える第一導電部材５１０及び第二導電部材５２０は、図２、図４〜図７に示す態様とは異なる態様で接合されていてもよい。そこで、以下に、蓄電装置１０が備える第一導電部材５１０及び第二導電部材５２０の接合部５８０についての変形例を、上記実施の形態との差分を中心に説明する。
【００８４】
（変形例１）
図８は、実施の形態の変形例１に係る導電部材５００ａの構成を示す拡大断面図である。本変形例に係る導電部材５００ａにおいて、第一導電部材５１０は、上記実施の形態に係る第一導電部材５１０と同じく、第一本体部５１４から第二導電部材５２０に向けて突出した第一凸部５１５ａとを有する。しかし、第二導電部材５２０は凸部を有しておらず、第一凸部５１５ａの先端面が、第二本体部５２４の平板状の側面に接合（例えばレーザ溶接）されることで、接合部５８０ａが形成されている。
【００８５】
この場合であっても、封止部材６５０が、接合部５８０ａの側方の位置において、第一導電部材５１０及び第二導電部材５２０に挟まれて配置されているため、上記実施の形態で説明した各種の効果が奏される。すなわち、封止部材６５０が存在することで、接合部５８０ａの腐食が抑制される。また、封止部材６５０は第一導電部材５１０及び第二導電部材５２０に挟まれた状態で配置されるため、封止部材６５０の剥離、脱落、または破壊等の問題が生じ難い。従って、本変形例に係る導電部材５００ａを備える蓄電装置１０は、信頼性の高い蓄電装置１０である。
【００８６】
なお、第二導電部材５２０が凸部を有し、かつ、第一導電部材５１０が凸部を有しなくてもよい。例えば、第二導電部材５２０の第二本体部５２４に形成された、第一導電部材５１０に向けて突出した凸部の先端面が、第一本体部５１４の平板状の側面に接合（例えばレーザ溶接）されることで第一導電部材５１０と第二導電部材５２０とが接合されてもよい。つまり、第二導電部材５２０及び第一導電部材５１０の少なくとも一方が、他方に向けて突出した凸部を備え、凸部が他方と接合されることで、凸部の周囲に、封止部材６５０を適度に圧縮することを許容する空間が形成することができる。これにより、封止部材６５０による接合部５８０ａの保護効果を得ることができ、かつ、封止部材６５０の剥離等の不具合の発生が抑制される。
【００８７】
（変形例２）
図９は、実施の形態の変形例２に係る導電部材５００ｂの構成を示す拡大断面図である。本変形例に係る導電部材５００ｂにおいて、第一導電部材５１０は、第一本体部５１４から第二導電部材５２０に向けて突出した第一凸部５１５ｂを有し、第二導電部材５２０は、第二本体部５２４から第一導電部材５１０に向けて突出した第二凸部５２５ｂを有する。この構成において、本変形例に係る導電部材５００ｂと上記実施の形態に係る導電部材５００とは共通する。
【００８８】
しかし、第一凸部５１５ｂと第二凸部５２５ｂとは、互いに突き合わされた状態で締結されることで接合されている点で上記実施の形態とは異なる。具体的には、本変形例において、第一凸部５１５ｂと第二凸部５２５ｂとは、一対のボルト９１０及びナット９２０からなる締結具９００によって締結されている。つまり、本変形例に係る接合部５８０ｂを形成するための接合手法として、溶接ではなく締結が採用されている。このように、第一導電部材５１０及び第二導電部材５２０の接合に締結具９００を用いることで、第一導電部材５１０及び第二導電部材５２０を簡易な構成で強固に接合することができる。
【００８９】
また、この場合であっても、封止部材６５０が、接合部５８０ｂの側方の位置において、第一導電部材５１０及び第二導電部材５２０に挟まれて配置されているため、上記実施の形態で説明した各種の効果が奏される。すなわち、封止部材６５０が存在することで、接合部５８０ｂの腐食が抑制される。また、封止部材６５０は第一導電部材５１０及び第二導電部材５２０に挟まれた状態で配置されるため、封止部材６５０の剥離、脱落、または破壊等の問題が生じ難い。従って、本変形例に係る導電部材５００ｂを備える蓄電装置１０は、信頼性の高い蓄電装置１０である。
【００９０】
なお、第一凸部５１５ｂ及び第二凸部５２５ｂの一方がなくてもよい。例えば、第一凸部５１５ｂが、第二本体部５２４の、第二凸部５２５ｂが形成されていない平板状の側面に突き合わされた状態で、第一凸部５１５ｂと第二本体部５２４とが締結具９００によって締結されてもよい。この場合であっても、第一凸部５１５ｂの周囲に、封止部材６５０を適度に圧縮することを許容する空間を形成することができる。これにより、封止部材６５０による接合部５８０ｂの保護効果を得ることができ、かつ、封止部材６５０の剥離等の不具合の発生が抑制される。
【００９１】
（変形例３）
図１０は、実施の形態の変形例２に係る導電部材５００ｃの構成を示す拡大断面図である。本変形例に係る導電部材５００ｃは、第一導電部材５１０と第二導電部材５２０とが接合された接合部５８０ｃを有し、接合部５８０ｃの側方の位置において、第一導電部材５１０及び第二導電部材５２０に挟まれた封止部材６５０が配置されている。この構成において、本変形例に係る導電部材５００ｃと上記実施の形態に係る導電部材５００とは共通する。
【００９２】
しかし、本変形例に係る接合部５８０ｃは、第一導電部材５１０の第一本体部５１４と、第二導電部材５２０の第二本体部５２４とが重ねられた状態で、かしめられることで形成されており、この点において、上記実施の形態とは異なる。
【００９３】
具体的には、第一導電部材５１０と第二導電部材５２０とは、クリンチかしめによって接合されている。これにより、例えば図８に示すように、第一導電部材５１０に形成された第一凸部５１５ｃが、第二導電部材５２０に形成された凹部５２５ｃに嵌入された状態となる。つまり、本変形例では、第一凸部５１５ｃと凹部５２５ｃとの嵌め合わされた部分によって接合部５８０ｃが形成されている。また、本変形例では、封止部材６５０は、接合部５８０ｃに対して、例えば、おおよそ、第一凸部５１５ｃの突出方向に平行な方向（Ｘ軸方向）の側方に位置している、ということができる。
【００９４】
この場合であっても、封止部材６５０が、接合部５８０ｃの側方の位置において、第一導電部材５１０及び第二導電部材５２０に挟まれて配置されているため、上記実施の形態で説明した各種の効果が奏される。すなわち、封止部材６５０が存在することで、接合部５８０ｃの腐食が抑制される。また、封止部材６５０は第一導電部材５１０及び第二導電部材５２０に挟まれた状態で配置されるため、封止部材６５０の剥離、脱落、または破壊等の問題が生じ難い。従って、本変形例に係る導電部材５００ｃを備える蓄電装置１０は、信頼性の高い蓄電装置１０である。
【００９５】
なお、第一導電部材５１０及び第二導電部材５２０をクリンチかしめによって接合する場合、接合の態様は、図１０に示す態様に限定されない。例えば、図７に示すように、第一凸部５１５の先端面と、第二凸部５２５の先端面とを突き合わせ、第一凸部５１５と第二凸部５２５との突き合わせられた部分（図７における接合部５８０の部分）を、クリンチかしめによって接合してもよい。この場合、クリンチかしめの際の押圧力が封止部材６５０にかかり難いため、封止部材６５０の材料として柔軟性が高い（つまり柔らかい）材料を採用することができる。
【００９６】
（変形例４）
図１１は、実施の形態の変形例４に係る導電部材５００ｄの構成を示す拡大断面図である。本変形例に係る導電部材５００ｄは、第一導電部材５１０及び第二導電部材５２０が接合された接合部５８０ｄの側方の位置において、第一導電部材５１０及び第二導電部材５２０に挟まれて配置された封止部材６５０を有している。この構成において、本変形例に係る導電部材５００ｄと上記実施の形態に係る導電部材５００とは共通する。
【００９７】
しかし、本変形例では、封止部材６５０は、第一導電部材５１０及び第二導電部材５２０のそれぞれが有する、互いに対向する位置にある凹部により形成された空間に収容されており、この点で上記実施の形態に係る導電部材５００とは異なる。
【００９８】
具体的には、第一導電部材５１０の第一本体部５１４には、第一凹部５１５ｄが形成されている。また、第二導電部材５２０の第二本体部５２４における、第一凹部５１５ｄに対向する位置に、第二凹部５２５ｄが形成されている。封止部材６５０は、Ｘ軸方向で突き合わされた第一凹部５１５ｄと第二凹部５２５ｄとで形成される空間に収容され、かつ、Ｘ軸方向に圧縮されている。
【００９９】
なお、第一凹部５１５ｄ及び第二凹部５２５ｄのそれぞれは、封止部材６５０と同じく、Ｘ軸方向から見た場合に環状に形成されており、第一凹部５１５ｄ及び第二凹部５２５ｄが突き合わされることで、封止部材６５０が収容される環状の空間が形成されている。
【０１００】
また、第一導電部材５１０において、環状の第一凹部５１５ｄの内側に第一平面部５１６が存在し、かつ、第二導電部材５２０において、環状の第二凹部５１５ｄの内側に第二平面部５２６が存在する。第一平面部５１６及び第二平面部５２６は、例えばレーザ溶接によって接合され、これにより、第一導電部材５１０及び第二導電部材５２０が接合された接合部５８０ｄが形成される。
【０１０１】
この場合であっても、封止部材６５０が、接合部５８０ｄの側方の位置において、第一導電部材５１０及び第二導電部材５２０に挟まれて配置されているため、上記実施の形態で説明した各種の効果が奏される。すなわち、封止部材６５０が存在することで、接合部５８０ｄの腐食が抑制される。また、封止部材６５０は第一導電部材５１０及び第二導電部材５２０に挟まれた状態で配置されるため、封止部材６５０の剥離、脱落、または破壊等の問題が生じ難い。なお、環状の封止部材６５０の外側では、図１１に示すように、第一導電部材５１０と第二導電部材５２０とは離間しており、異種金属同士が接触していることに起因する腐食等の問題は生じない。
【０１０２】
さらに、本変形例に係る導電部材５００ｄでは、封止部材６５０と、第一導電部材５１０及び第二導電部材５２０との接触面を増加させることができる。これにより、例えば、封止部材６５０による接合部５８０ｄの腐食の抑制効果が向上される。また、例えば、封止部材６５０に対する、外部の熱または湿気等の影響をさらに低減することができるため、封止部材６５０の劣化の抑制効果が向上される。
【０１０３】
従って、本変形例に係る導電部材５００ｄを備える蓄電装置１０は、信頼性の高い蓄電装置１０である。
【０１０４】
（他の実施の形態）
以上、本発明に係る蓄電装置について、実施の形態及びその変形例に基づいて説明した。しかしながら、本発明は、上記実施の形態及びその変形例に限定されるものではない。本発明の趣旨を逸脱しない限り、当業者が思いつく各種変形を上記実施の形態またはその変形例に施したものも、あるいは、上記説明された複数の構成要素を組み合わせて構築される形態も、本発明の範囲内に含まれる。
【０１０５】
例えば、封止部材６５０は、環状に形成されていなくてもよい。封止部材６５０は、例えば、実施の形態に係る接合部５８０の周囲の一部にのみ配置される直線状または円弧状の形状であってもよい。この場合であっても、封止部材６５０は、封止部材６５０が配置された位置において、外気または水分等に対する抵抗要素として機能するため、接合部５８０の腐食を抑制することは可能である。
【０１０６】
また、封止部材６５０の材料は、シリコーンゴムまたはＥＰＤＭである必要はない。封止部材６５０の材料は、他の種類の樹脂でもよく、また、アルミナ等の粉体を含有することで強度が向上された材料であってもよい。
【０１０７】
また、接合部５８０のサイズ及び形状は、特定のサイズ及び形状に限定されない。例えば、接合部５８０は直線状に形成されていてもよい。この場合、封止部材６５０が、接合部５８０に沿うように、かつ、第一導電部材５１０及び第二導電部材５２０に挟まれて配置されていることで、封止部材６５０による接合部５８０の保護効果を得ることができ、かつ、封止部材６５０の剥離等の不具合の発生が抑制される。
【０１０８】
また、第一導電部材５１０は、蓄電素子３００の正極端子３２０または負極端子３３０と直接的に接続されていなくてもよい。つまり、蓄電装置１０内における電流経路を形成する２つの導電部材であって、互いに物性が異なる部材で形成された２つの導電部材が存在する場合、封止部材が、当該２つの導電部材の接合部の側方の位置において、当該２つの導電部材に挟まれて配置されていればよい。これにより、異種金属同士の接合部が、外気または水分から保護され、これにより、接合部の腐食が抑制される。また、封止部材の剥離等の問題の発生も抑制される。
【０１０９】
また、例えば、第一導電部材５１０と第二導電部材５２０との接合に、第一導電部材５１０及び第二導電部材５２０のいずれとも異なる物性の材料で形成された第三導電部材が介在してもよい。例えば、第三導電部材の材料として、第一導電部材５１０の材料であるアルミニウムよりもイオン化傾向が小さく、かつ、第二導電部材５２０の材料である銅よりもイオン化傾向が大きいニッケルが採用されてもよい。
【０１１０】
この場合、接合部５８０において、第一導電部材５１０と第二導電部材５２０とが直接的に接触している場合より、異種金属間（アルミニウム−ニッケル間、ニッケル−銅間）におけるイオン化傾向の差が小さくなる。
【０１１１】
その結果、接合部５８０において、接触している異種金属間におけるイオン化傾向が大きいことに起因する腐食（酸化）が抑制される。すなわち、接合部５８０において、第一導電部材５１０と第二導電部材５２０との間に第三導電部材を介在させることで、蓄電装置１０の品質または信頼性の低下が抑制される。
【０１１２】
また、ニッケルで形成された第三導電部材は、アルミニウムで形成された第一導電部材５１０、及び、銅で形成された第二導電部材５２０のそれぞれと溶接しやすい。そのため、第一導電部材５１０と第二導電部材５２０との間に第三導電部材を介在させることで、接合部５８０の接合強度を向上させることができる。
【０１１３】
なお、第三導電部材の材料は、ニッケルに、例えば、アルミニウム、鉄、または銅などが添加されたニッケル合金であってもよい。また、第三導電部材の材料として採用される、アルミニウムよりもイオン化傾向が小さく、かつ、銅よりもイオン化傾向が大きい材料としては、ニッケルの他に、亜鉛及びクロム等がある。
【０１１４】
また、第三導電部材は板状の部材であってもよいし、第一導電部材５１０または第二導電部材５２０に形成されたメッキ層として第三導電部材が配置されてもよい。
【０１１５】
また、第三導電部材は、複数の部材が積層されることで形成されていても構わない。例えば、ニッケルと亜鉛などの２種の材料が積層されることで第三導電部材が形成されていても構わないし、ニッケルの他に亜鉛とクロムなどの３種以上の材料が積層されることで第三導電部材が形成されていても構わない。例えば、第三導電部材において、アルミニウムで形成された第一導電部材側から、銅で形成された第二導電部材側に向かって、複数の部材が、イオン化傾向の順番（降順）で並んで配置されていても構わない。このように複数の層からなる第三導電部材を、第一導電部材と第二導電部材との間に介在させることで、隣り合う異種金属間におけるイオン化傾向の差がより小さくなり、より効果的に腐食（酸化）が抑制される。
【０１１６】
また、図２及び図４〜図７に示される第一導電部材５１０及び第二導電部材５２０の形状及びサイズは例示であり、これらの形状及びサイズは、例えば、外装体１１のサイズ、外装体１１に収容される他の要素の位置等に応じて適宜決定されてもよい。
【０１１７】
また、蓄電素子３００が有する電極体３４０は、正極板と負極板とセパレータとが縦方向に巻回（図３においてＹ軸方向に平行な巻回軸にて巻回）されて形成された縦巻きの巻回型形状であるとした。しかし、電極体３４０は、正極板と負極板とセパレータとが横方向に巻回（Ｚ軸方向に平行な巻回軸にて巻回）されて形成された横巻きの巻回型形状であってもよいし、平板状極板を積層した積層型形状であってもよい。
【０１１８】
また、本発明は、このような蓄電装置１０として実現することができるだけでなく、蓄電装置１０が備える導電部材等としても実現することができる。
【産業上の利用可能性】
【０１１９】
本発明は、リチウムイオン二次電池などの蓄電素子を備えた蓄電装置等に適用できる。
【符号の説明】
【０１２０】
１０  蓄電装置
３００  蓄電素子
３２０  正極端子
３３０  負極端子
５００、５００ａ、５００ｂ、５００ｃ、５００ｄ、５５０  導電部材
５１０、５６０  第一導電部材
５１４  第一本体部
５１５、５１５ａ、５１５ｂ、５１５ｃ  第一凸部
５２０、５７０  第二導電部材
５２４  第二本体部
５２５、５２５ｂ  第二凸部
５８０、５８０ａ、５８０ｂ、５８０ｃ、５８０ｄ  接合部
６５０  封止部材
【図１】
2018110084.tif 000003
【図２】
2018110084.tif 000004
【図３】
2018110084.tif 000005
【図４】
2018110084.tif 000006
【図５】
2018110084.tif 000007
【図６】
2018110084.tif 000008
【図７】
2018110084.tif 000009
【図８】
2018110084.tif 000010
【図９】
2018110084.tif 000011
【図１０】
2018110084.tif 000012
【図１１】
2018110084.tif 000013